(57)【特許請求の範囲】
【請求項１】
撮像素子と赤外線センサのうち少なくとも一方の素子及び室温センサを備えた浴室内監視装置であって、
気密的に封止された凹部を有する監視装置本体の、当該凹部内に撮像素子と赤外線センサのうち少なくとも一方の素子を納め、凹部内に納められた前記素子に対向させて気密的に封止された開口を前記監視装置本体に設け、前記監視装置本体にその外面から前記凹部に向けて貫通したセンサ収納孔を設け、当該センサ収納孔に前記室温センサを気密的に装着して前記室温センサを前記監視装置本体の外面に露出させ、前記室温センサのリード線を前記凹部内に導き、該室温センサを覆うようにして前記監視装置本体にカバーを被せ、該カバーに空気を流通させるための通気口を設けたことを特徴とする浴室内監視装置。
【請求項２】
前記室温センサの外周面にＯリングを嵌め、当該Ｏリングを室温センサに設けたリングと前記センサ収納孔の間に挟みこむことにより、前記室温センサを前記センサ収納孔に気密的に装着したことを特徴とする、請求項１に記載の浴室内監視装置。
【請求項３】
前記センサ収納孔に前記室温センサを挿入し、押え具に設けた溝の縁で前記室温センサのリングを押え、押え具を前記監視装置本体に固定したことを特徴とする、請求項２に記載の浴室内監視装置。
【発明の詳細な説明】
【０００１】
【発明の属する技術分野】
本発明は、浴室内に設置しておき、浴室内における人の入退室や人の動き等をモニターするための浴室内監視装置に関する。
【０００２】
【発明の技術的背景】
従来の浴室内監視装置には、いわゆる人工網膜センサや赤外線センサなどを用いたものがある。しかし、従来の浴室内監視装置では、人工網膜センサや赤外線センサ単独で用いられており、他の種類のセンサと組み合わせた浴室内監視装置は無かった。
【０００３】
従って、従来の浴室内監視装置は、室温検知機能を欠いており、室温検知機能を備えた浴室内監視装置というものは見られなかった。
【０００４】
【発明の開示】
本発明は上記の技術的背景に鑑みてなされたものであり、その目的とするところは室温検知機能を備えた浴室内監視装置を提供することにある。さらに、本発明の目的とするところは、その室温検知精度を良好にすることにある。
【０００５】
本発明の請求項１にかかる浴室内監視装置は、撮像素子と赤外線センサのうち少なくとも一方の素子及び室温センサを備えた浴室内監視装置であって、気密的に封止された凹部を有する監視装置本体の、当該凹部内に撮像素子と赤外線センサのうち少なくとも一方の素子を納め、凹部内に納められた前記素子に対向させて気密的に封止された開口を前記監視装置本体に設け、前記監視装置本体にその外面から前記凹部に向けて貫通したセンサ収納孔を設け、当該センサ収納孔に前記室温センサを気密的に装着して前記室温センサを前記監視装置本体の外面に露出させ、前記室温センサのリード線を前記凹部内に導き、該室温センサを覆うようにして前記監視装置本体にカバーを被せ、該カバーに空気を流通させるための通気口を設けたことを特徴としている。
本発明の請求項２にかかる浴室内監視装置は、請求項１に記載の浴室内監視装置において、前記室温センサの外周面にＯリングを嵌め、当該Ｏリングを室温センサに設けたリングと前記センサ収納孔の間に挟みこむことにより、前記室温センサを前記センサ収納孔に気密的に装着したものである。
本発明の請求項３にかかる浴室内監視装置は、請求項２に記載の浴室内監視装置において、前記センサ収納孔に前記室温センサを挿入し、押え具に設けた溝の縁で前記室温センサのリングを押え、押え具を前記監視装置本体に固定したものである。
【０００６】
請求項１に記載した浴室内監視装置にあっては、撮像素子や赤外線センサの他に室温センサを備えているので、撮像素子や赤外線センサにより浴室内における人の入退室や人の動きを検知できるだけでなく、室温センサにより浴室内の室温を検知することもできる。しかも、監視装置本体の内部に浴室の湿気や水分が浸入することがないので、撮像素子や赤外線センサあるいはセンサ基板などが湿気や水分から保護され、浴室内監視装置の耐水性と耐久性を向上させることができる。さらに、室温センサを覆うようにしてセンサ本体に被せたカバーに通気口を設けているので、浴室内の空気を通気口からカバー内部の室温センサへ導くことができ、室温検知精度を良好にすることができる。
【０００７】
【発明の実施の形態】
図１（ａ）（ｂ）は、本発明にかかる浴室内監視装置１の正面図及び側面図であって、浴室内監視装置１は監視装置本体２とカバー３によって構成されている。図２は、当該監視装置本体２からカバー３を外した状態の正面図である。監視装置本体２は、図３に示すように、内部ケース４とセンサ部５からなり、内部ケース４の開口部分にセンサ部５が取付けられている。
【０００８】
まず、センサ部５の構造について説明する。センサ部５は、図４に示すように、プラスチック製のフロントパネル６と、フロントパネル６の表面に貼り付けられた防水シート７と、フロントパネル６の裏面に取付けられたセンサ基板８とから構成されている。センサ基板８は、プリント配線基板９の表面に、低解像度の撮像センサ１０（以下、人工網膜センサという。なお、人工網膜センサについては、例えば特願平１１−２２０３７４号に開示されている。）、赤外線センサ１１、ＬＥＤ等の発光素子１２を実装したものである。また、センサ基板８には、各センサを駆動するための駆動回路や処理回路なども実装されていてもよい。フロントパネル６の裏面には、４本の支柱１３、１４が立てられており、そのうちの２本の支柱１３の端面には突起１５が突出している。また、残りの２本の支柱１４の端面には雌ネジ穴１６が設けられている。これに対応して、プリント配線基板９には、小孔１７とネジ通し孔１８が設けられている。しかして、センサ基板８は、小孔１７に突起１５を挿入すると共にネジ通し孔１８に通したネジ１９を雌ネジ穴１６に螺合させることにより、フロントパネル６の背面に固定される（図５〜図７参照）。
【０００９】
フロントパネル６の撮像センサ１０と対向する位置には、図５に示すように、四角形の開口２０が設けられており、開口２０はフロントパネル６の前面に両面テープで接着されたアクリル樹脂製の透明フィルム２１によって気密的に塞がれている。これによって人工網膜センサ１０の前面は透明になっていて浴室内の様子をモニターし易くしている。また、図６に示すように、フロントパネル６の赤外線センサ１１と対向する位置にも開口２２が設けられており、この開口２２内にはポリエチレン樹脂製の保護キャップ２３がはめ込まれ、保護キャップ２３と開口２２の間は保護キャップ２３の外周に嵌められたゴムのＯリング２４によって気密的に封止されている。このようなポリエチレン製の保護キャップ２３を用いれば、保護キャップ２３の前面部分の膜厚ｔによって赤外線センサ１１の感度を調整することができる。センサ基板８上の発光素子１２と対向する位置には、筒状の通孔２５が設けられており、通孔２５内には発光素子１２からの光を表面に導くためのアクリル樹脂製のライトガイド２６が挿入され、ライトガイド２６の挿入されている通孔２５は、防水シート７によって気密的に封止されている。
【００１０】
防水シート７は、透明なポリエチレンテレフタレート（ＰＥＴ）製のシートの裏面に不透明な塗料を塗布し、そのうえに両面粘着シートを貼ったものであり、両面粘着シートによってフロントパネル６の前面に接着されている。この防水シート７では、フロントパネル６の開口２０、２２と対向する位置に、それぞれ開口２０、２２とほぼ同じ大きさの開口２８，２９が設けられている。また、フロントパネル６の通孔２５と対向する領域３０では、不透明な塗料の代わりに半透明ないし乳白色の塗料が塗布されており、発光素子１２の光をライトガイド２６によってセンサ部５の前面へ導くと同時に半透明ないし乳白色の塗料によって光を拡散させている。
【００１１】
両面粘着シートは、ポリエチレンには接着しないので、保護キャップ２３の箇所はＯリング２４だけで封止されているが、両面粘着シートはアクリル製のライトガイド２６には接着するので、防水シート７をライトガイド２６の縁に接着させることによってライトガイド２６を挿入されている通孔２５を封止している。また、防水シート７をアクリル製の透明フィルム２１の縁に接着させ、防水シート７によっても透明フィルム２１の箇所を封止することもできる。
【００１２】
また、フロントパネル６の裏面には、人工網膜センサ１０に対向する開口２０、赤外線センサ１１に対向する開口２２、発光素子１２に対向する通孔２５を囲むようにして封止用突部３１が環状に突設されている。封止用突部３１の外側に周設されているフランジ３２には、通孔３３と小孔３４があけられている。
【００１３】
内部ケース４は、図３に示すように、取付け基台３５の上に容器状の密封室３６を設けたものである。密封室３６の一方側面には室温センサ３７が取付けられている。図８（ａ）（ｂ）及び図９は、この室温センサ３７の取付け構造を説明する図である。室温センサ３７の外周には、図９に示すように、リング３８が一体に設けられており、室温センサ３７の後端からはリード線３９が出ている。４０はゴムのＯリング、４１は金属製のスペーサである。また、４２は金属製のスペーサ押えであって、スペーサ押え４２には、室温センサ３７の先端部を挿通させて室温センサ３７に外嵌されたスペーサ４１を押さえるための溝４３と、ビス４４を挿通させるためのビス通し孔４５とが設けられている。密封室３６の側壁には、室温センサ３７を挿入するためのセンサ収納孔４６と雌ネジ孔４７が設けられている。センサ収納孔４６は、図８（ｂ）に示すように、リング３８及びスペーサ４１の外径とほぼ等しい内径を有しているが、センサ収納孔４６の奥には鍔部４８が周設されており、鍔部４８ではセンサ収納孔４６の内径が小さくなっている。
【００１４】
しかして、室温センサ３７に後端からＯリング４０を嵌め、センサ収納孔４６にリード線３９を通すと共にＯリング４０を嵌めた室温センサ３７をセンサ収納孔４６内に収納し、室温センサ３７の前端にスペーサ４１を嵌めてスペーサ４１をセンサ収納孔４６内に挿入する。ついで、溝４３に室温センサ３７の先端部を挿通させると共にスペーサ押え４２でスペーサ４１を押さえるようにして密封室３６の側面にスペーサ押え４２を取付け、ビス通し孔４５に通したビス４４を雌ネジ孔４７に螺合させる。そして、ビス４４を締め込むことでスペーサ押え４２によってスペーサ４１及びリング３８をセンサ収納孔４６内に押し込み、リング３８と鍔部４８の間にＯリング４０を挟み込み、室温センサ３７とセンサ収納孔４６との間を気密的に封止する。室温センサ３７のリード線３９は、コネクタ２７をセンサ基板８に接続される。
【００１５】
密封室３６の前面には、センサ部５を取付けてセンサ基板８を収納するための凹部４９が開口しており、凹部４９の開口部全周に設けられた溝５０内にはゴムパッキン５１が納められている。また、この溝５０の外側には、位置決め用突起５２とネジ孔５３とが設けられている。また、凹部４９の奥面（もしくは、取付け基台３５）には、センサ基板８からのリード線などを通すための通孔５５が開口されており、この通孔５５は取付け基台３５の裏面で開口している。
【００１６】
しかして、密封室３６の前面にセンサ部５を取り付けると、密封室３６の位置決め用突起５２がセンサ部５の小孔３４にはまってセンサ部５が位置決めされ、センサ部５の裏面に突出している封止用突部３１がゴムパッキン５１に当たる。ついで、センサ部５の通孔３３に通したネジ５４を密封室３６のネジ孔５３に螺合させ、ネジ５４を強く締め込むと、ゴムパッキン５１が封止用突部３１と溝５０との間で強く締め付けられ、密封室３６とセンサ部５の間が気密的に封止される。この結果、人工網膜センサ１０や赤外線センサ１１、発光素子１２等を実装されたセンサ基板８が凹部４９内に納められ、センサ収納孔４６は室温センサ３７との間のＯリング４０によって封止され、密封室３６とセンサ部５の間もゴムパッキン５１によって封止され、またセンサ部５のフロントパネル６も前記のように封止構造となっているので、後述のようにして通孔５５を浴室内部と縁切りすれば、凹部４９内に浴室の湿気や水分が浸入することがなく、センサ基板８が湿気や水分から保護され、浴室内監視装置１の耐水性と耐久性を向上させることができる。
【００１７】
内部ケース４の取付け基台３５には、浴室内監視装置１を浴室の壁面等にネジ止めするためのネジ止め用孔５６が設けられており、一方のネジ止め用孔５６は縦長状となり、他方のネジ止め用孔５６は横長状となっているので、浴室内監視装置１の取付け位置調整を容易に行える。また、取付け基台３５の両側前部には、カバー３を取付けるための爪係止部５７が設けられている。
【００１８】
図２に示すように、カバー３の前面には、センサ窓５８が開口されており、その両側には通気孔５９が開口されている。また、図示しないが、カバー３の前部内面には係止爪が設けられ、後部内面には突起が設けられている。しかして、カバー３を内部ケース４の密封室３６に被せ、カバー３の後部内面の突起を内部ケース４の背面に設けられた凹部（図示せず）に嵌め、さらにカバー３の係止爪を取付け基台３５の爪係止部５７に引っ掛けると、カバー３が内部ケース４に取付けられ、センサ部５の前面の一部がセンサ窓５８から露出させられる。
【００１９】
こうして人工網膜センサ１０や赤外線センサ１１は、外部に対向するように配置され、浴室内における人の入退室や人の動きを監視する。人工網膜センサ１０や赤外線センサ１１がオンになっていてセンシング動作しているときには、発光素子１２が点灯する。また、浴室内の空気は、図１に破線矢印で示すように、カバー３の前面の通気孔５９から浴室内監視装置１の内部に入り、カバー３の側面の通気孔５９を通って浴室内監視装置１から外部へ出ていくことができるので、通気孔５９を通って浴室内の空気がカバー３内を通風し、浴室内監視装置１の内部に設けられている室温センサ３７によって浴室内の室温を検知することができる。
【００２０】
上記のような構造を有する浴室内監視装置は、背面（すなわち、取付け基台３５の裏面）にゴムパッキン（図示せず）を貼り付け、そのゴムパッキンを浴室の壁面に接着させるようにして設置される。浴室内監視装置１の前面は斜めに傾いており、浴室壁面に設置した状態では、センサ部５は斜め下方を向けて配設され、人工網膜センサ１０及び赤外線センサ１１も浴室内斜め下方を向けられる。このため、センサ部５の前面に水滴が付着しても水滴はセンサ部５の表面に沿って流れ落ち、センサ基板８の表面や周囲に溜まりにくくなり、センサ部５の防水性が向上する。また、人工網膜センサ１０の前方に水滴が付着すると、画像が歪んで正しい画像情報が得られなくなり、人工網膜センサ１０が誤検知する恐れがあるが、センサ基板８を斜めにして排水を良好にすることで、人工網膜センサ１０の誤検知を防ぐことができる。
【００２１】
【発明の効果】
本発明の浴室内監視装置にあっては、撮像素子や赤外線センサの他に室温センサを備えているので、撮像素子や赤外線センサにより浴室内における人の入退室や人の動きを検知できるだけでなく、室温センサにより浴室内の室温を検知することもできる。さらに、室温センサを覆うようにしてセンサ本体に被せたカバーに通気口を設けているので、浴室内の空気を通気口からカバー内部の室温センサへ導くことができ、室温検知精度を良好にすることができる。
【図面の簡単な説明】
【図１】（ａ）（ｂ）は本発明の一実施形態にかかる浴室内監視装置の正面図及び側面図である。
【図２】同上の浴室内監視装置において、監視装置本体からカバーを外した状態の正面図である。
【図３】同上の監視装置本体において、内部ケースからセンサ部を分離した状態の斜視図である。
【図４】同上のセンサ部の分解斜視図である。
【図５】図４のＸ１−Ｘ１線に沿った断面における、センサ部の分解断面図である。
【図６】図４のＸ２−Ｘ２線に沿った断面における、センサ部の分解断面図である。
【図７】図４のＸ３−Ｘ３線に沿った断面における、センサ部の分解断面図である。
【図８】（ａ）は監視装置本体の内部ケース側面に取付けられた室温センサを示す図、（ｂ）はその内部ケースの側面の一部を断面した図である。
【図９】監視装置本体の内部ケースに室温センサを取付けるための構造を示す分解斜視図である。
【符号の説明】
１      浴室内監視装置
２      監視装置本体
３      カバー
４      内部ケース
５      センサ部
６      フロントパネル
８      センサ基板
１０      人工網膜センサ（撮像センサ）
１１      赤外線センサ
１２      発光素子
３７      室温センサ
５９      通気孔
【図１】
0003747808.tif 000002
【図２】
0003747808.tif 000003
【図３】
0003747808.tif 000004
【図４】
0003747808.tif 000005
【図５】
0003747808.tif 000006
【図６】
0003747808.tif 000007
【図７】
0003747808.tif 000008
【図８】
0003747808.tif 000009
【図９】
0003747808.tif 000010